(57)【要約】【課題】      効果的に温まることができ、かつ肉体的にも快適な入浴用クッションを提供する。【解決手段】  入浴用クッション１は、浴槽に固定するための長方形の帯状をした連結帯部１０と、この連結帯部１０の下端縁に連続して形成された主として背中に当接させるための背部クッション２０と、上端縁に連続して形成された主として後頭部を当接させるための頭部クッション３０とで形成されている。頭部クッション３０の略中央の連結帯部１０に隣接した部位には、略台形状をした開口部４０が形成されている。連結帯部１０の裏面には３個の吸盤１２が設けられている。背部クッション２０と頭部クッション３０には、空気を注入するための空気注入口２２、３２が設けられている。【選択図】    図４
2009039215.tif 000002
【特許請求の範囲】
【請求項１】
水平方向に帯状をした連結帯部と、該連結帯部の下端縁に形成された細長い背部クッションと、該連結部の上端縁に形成された頭部クッションとを有し、該連結帯部は浴槽に吸着固定するための吸盤が設けられ、該背部クッションは、内部に空気を注入可能なように二重に形成されるとともに、内部に空気を注入するための空気注入口及び該空気注入口を気密に閉塞する空気栓が設けられ、該頭部クッションは、内部に空気を注入可能なように二重に形成されるとともに、内部に空気を注入するための空気注入口及び該空気注入口を気密に閉塞する空気栓が設けられていることを特徴とする入浴用クッション。
【請求項２】
前記背部クッションが、縦方向の長さが５〜１５ｃｍであることを特徴とする請求項１記載の入浴用クッション。
【請求項３】
前記頭部クッションは、連結帯部と隣接した中央部分に開口部が形成されていることを特徴とする請求項１又は２記載の入浴用クッション。
【発明の詳細な説明】
【技術分野】
【０００１】
本発明は、浴槽に固定して使用する入浴用クッションに関し、さらに詳しくは、リラックスした状態で効率よく温まることが出来る入浴用クッションに関するものである。
【背景技術】
【０００２】
入浴は、身体を清潔にすること、心身の緊張を取り除くこと、体内の代謝を活発化して疲労を回復すること等の各種効能があり、心身ともに健康な生活を送るためには欠かせないものである。したがって、上述した効能をより効果的に発揮できるような各種入浴器具が提案されている。例えば、リング形に形成し、内部に高粘性液体材料のジェルを最大容量の６０％ほど注入したバスクッション（特許文献１参照）が提案されている。
【０００３】
【特許文献１】特開２００４−５７６２６号公報
【発明の開示】
【発明が解決しようとする課題】
【０００４】
入浴における上述した心身の緊張を取り除く効能や、体内の代謝を活発化して疲労を回復する効能は、身体を温めることにより発揮されるものであり、入浴中、身体の全部位を良好に温めることが必要である。ところで、入浴に際しては、、浴槽の側面に背中を持たれかけた状態で入浴することが多く、このような状態においては、身体を効果的に温めることが出来なかった。すなわち、背中が浴槽と接しているので、背中と接している浴槽の部分は、背中により冷やされお湯の温度より低下していくものである。したがって、浴槽と接している背中はお湯の温度より低い温度で温められることとなり、お湯による加温の効果を十分に受けることが出来ず、身体全体を効果的に温めることが出来ないものであった。
【０００５】
しかしながら、従来提案されている入浴器具は、前記特許文献１記載のバスクッションのように、入浴時の肉体的な快適性を求めるものであり、効果的に温まることを目的とするものが無いものであった。
【０００６】
本発明は、以上の問題点を解決し、効果的に温まることができ、かつ肉体的にも快適な入浴用クッションを提供することを目的とする。
【課題を解決するための手段】
【０００７】
本発明者は、前記問題点を解決するために鋭意検討し、背中と浴槽との間に空間があると背中を直接お湯で温めることが出来ることに着目し、背中の一部にのみ接するようなクッションを設けることにより、背中全体が浴槽に直接接しないようにすると、極めて効果的に温まることが出来ることを見出し、本発明を完成させたものである。
【０００８】
すなわち、請求項１に係る入浴用クッションは、水平方向に帯状をした連結帯部と、該連結帯部の下端縁に形成された細長い背部クッションと、該連結部の上端縁に形成された頭部クッションとを有し、該連結帯部は浴槽に吸着固定するための吸盤が設けられ、該背部クッションは、内部に空気を注入可能なように二重に形成されるとともに、内部に空気を注入するための空気注入口及び該空気注入口を気密に閉塞する空気栓が設けられ、該頭部クッションは、内部に空気を注入可能なように二重に形成されるとともに、内部に空気を注入するための空気注入口及び該空気注入口を気密に閉塞する空気栓が設けられていることを特徴として構成されている。
【０００９】
請求項２に係る入浴用クッションは、請求項１に係る入浴用クッションにおいて、背部クッションが、縦方向の長さが５〜１５ｃｍであることを特徴として構成されている。
【００１０】
請求項３に係る入浴用クッションは、請求項１又は２記載の入浴用クッションにおいて、頭部クッションは、連結帯部と隣接した中央部分に開口部が形成されていることを特徴として構成されている。
【発明の効果】
【００１１】
請求項１に係る入浴用クッションにおいては、背部クッションと頭部クッションとに空気注入口を介して所定量の空気を注入して膨らませ、空気栓で密封した状態で吸盤を浴槽の上部近傍の任意の個所に吸着させて連結帯部を浴槽に固定する。すると、頭部クッションが浴槽の周縁上端面に載置された状態となり、また、背部クッションが浴槽の上部近傍に位置することとなる。
【００１２】
以上のように入浴用クッションを配置した状態において、後頭部を頭部クッションに乗せた状態で浴槽にもたれ掛かって入浴すると、入浴者の背中の上部（肩近傍）が背部クッションに当接することになる。したがって、背中は浴槽に接することが無く、また、肩及び首の部分においても、背部クッションと頭部クッションとで浮き上がった状態に維持されているので、浴槽と接しない状態となっている。したがって、背中の殆どの部位、肩及び首の周囲にはお湯が存在し、このお湯により直接温められるとともに、体温で冷えたお湯を循環させることにより長時間一定温度を保持することができるので、極めて効果的に全身を温めることができる。また、頭部クッションに頭を乗せることにより、リラックスした状態で上述した状態を維持することができる。
【００１３】
請求項２に係る入浴用クッションにおいては、背部クッションは、縦方向の長さが５〜１５ｃｍであるので、背部クッションに空気を注入した際、空気の注入量によって異なるが、背中と浴槽との間に間隙を設けることができるとともに、背部クッションの背中に当接している面積を小さくすることができるので、お湯に浸かる背中の面積を大きくすることができる。すなわち、縦方向の長さが５ｃｍ未満であると、背中と浴槽との間隙を十分に取れず、背部クッションの下方において背中が浴槽に当接する場合がある。また、縦方向の長さが１５ｃｍを超えると、背中の背部クッションに当接する面積が大きくなるので、背中のお湯に接する面積が小さくなり、効果的に温めることが出来なくなる。
【００１４】
請求項３に係る入浴用クッションにおいては、頭部クッションに開口部が形成されているので、この開口部に首を位置させることにより、頭部を安定した状態で頭部クッションに乗せることができる。
【発明を実施するための最良の形態】
【００１５】
本発明の入浴用クッションは、連結帯部、背部クッション及び頭部クッションで構成されているが、これらは２枚の布材を融着して製作しても、それぞれを個別に製作した後、連結して製作してもよい。背部クッション及び頭部クッションに用いる素材は、空気を注入して膨らませることからある程度柔軟性のあることが必要であり、例えば、ポリ塩化ビニルシート、
等を用いることができる。また、滑りを防止できるので、表面が微細な凹凸が形成された粗雑面であることが好ましい。
【００１６】
背部クッションは、空気が注入され、背中と浴槽との間に空間を介在させて背中を浴槽に接触させないようにするためのものであり、空気を所定量注入した際、背中と浴槽との間に間隙を形成できる寸法、形状であり、背中に接触する面積が小さい方が好ましい。したがって、背部クッションの縦方向の長さは、１５ｃｍ以内であることが好ましく、１０ｃｍ以内であることがより好ましい。なお、背中と浴槽との間の間隙を確保するためには、５ｃｍ以上、好ましくは８ｃｍ以上確保することが好ましい。
【００１７】
頭部クッションは、空気が注入され、頭部を載せる所謂枕としての機能を有するものである。頭部クッションには、連結帯部と隣接した中央部分に開口部を形成することが好ましい。開口部に首を位置させることにより、頭部を頭部クッションに安定して載せることができる。開口部の形状としては、横方向に細長い矩形状、台形状、長円状にすることができる。
【００１８】
連結帯部は、背部クッションと頭部クッションとを連結するとともに、浴槽に固着できるように吸盤が設けられている。吸盤は、浴槽に安定して固着することができれば、その形状、個数等は特に限定されない。また、背部クッション及び頭部クッションに設けられる空気注入口及び空気栓は、空気の漏れにくい構造であれば特に限定されないが、空気栓としては逆止弁を用いることが好ましい。
【００１９】
以上のような入浴用クッションは、使用時において、背部クッション及び頭部クッションに空気を注入するものであるが、空気の注入量は、使用者の体格（身長、体重等）によって適宜最適な量とするが、一般に、背部クッションにおいては、全容量（注入できる最大の空気量）の１０〜２０％が好ましく、頭部クッションにおいては、全容量（注入できる最大の空気量）の約９０％が好ましい。
【００２０】
また、本発明の入浴クッションにおいて、背部クッションと頭部クッションは、本来の使用態様（背部クッションを背中に、頭部クッションを頭部に対応させる態様）の他、適宜変更した態様（背部クッションを頭部、頭部クッションを背中に対応させる態様、背部クッションと頭部クッションとを重ね合わせて肩に対応させる態様等）で使用することができる。
【００２１】
本発明による入浴用クッションの一実施形態を図面を参照して説明する。
【００２２】
図１は空気を抜いた状態の入浴用クッションの平面図、図２は空気を抜いた状態の入浴用クッションの底面図、図３は空気を注入した状態の入浴用クッションの斜め上方から見た斜視図、図４は空気を注入した状態の入浴用クッションの斜め下方から見た斜視図、図５は入浴用クッションの使用状態を示す模式図、図６も入浴用クッションの使用状態を示す模式図である。
【００２３】
図１〜図４において、入浴用クッション１は、浴槽に固定するための長方形の帯状をした連結帯部１０と、この連結帯部１０の下端縁に連続して形成された主として背中に当接させるための背部クッション２０と、上端縁に連続して形成された主として後頭部を当接させるための頭部クッション３０とで形成されている。そして、これらの連結帯部１０、背部クッション２０及び頭部クッション３０は、２枚のポリ塩化ビニルシートを融着して形成したもので、連結帯部１０と背部クッション２０との境界は融着部１１、連結帯部１０と頭部クッション３０との境界は融着部１２、連結帯部１０の両側端縁は融着部１３、背部クッション２０の周縁は融着部２１、頭部クッション３０の周縁は融着部２２となっている。また、頭部クッション３０の略中央の連結帯部１０に隣接した部位には、略台形状をした開口部４０が形成されており、この開口部４０の周縁は融着部４１となっている。
【００２４】
連結帯部１０の裏面には３個の吸盤１２が設けられており、この吸盤１２を浴槽に吸着させることにより、入浴用クッション１を浴槽に固定できるようになっている。
【００２５】
背部クッション２０は、上述したように二重に形成されており、空気を内部に注入できるようになっている。また、裏面側の端部近傍には空気注入口２２が形成されるとともに、この空気注入口２２を気密に閉鎖する空気栓２３が設けられている。したがって、空気注入口２２を介して口から息を吹き込むことにより背部クッション２０を膨らますことができる。
【００２６】
頭部クッション３０も、上述したように二重に形成されており、内部に空気を注入できるようになっている。また、裏面側の端部近傍には空気注入口３２が形成されるとともに、この空気注入口３２を気密に閉鎖する空気栓３３が設けられている。したがって、空気注入口３２を介して口から息を吹き込むことにより頭部クッション３０を膨らますことができる。
【００２７】
以上のような入浴用クッション１を用いるには、まず、空気注入口２２及び空気注入口３３を介して口から空気を吹き込んで、図３及び図４に示すように、背部クッション２０及び頭部クッション３０を膨らませる。この時、背部クッション２０の空気の注入量は、全容量の１０〜２０パーセント程度が好ましく、頭部クッション３０は、全容量の９０パーセント程度が好ましい。
【００２８】
次に、背部クッション２０を下、頭部クッションを上にした状態で、連結帯部１０の吸盤１１を浴槽５０の上端のやや下方に吸着させ、入浴用クッション１を浴槽に固定する。そして、図５及び図６に示すように、頭部ａを頭部クッション３０に載せるとともに、肩ｂを背部クッション２０にもたれ掛ける。すると、入浴者は、肩ｂのみ背部クッション２０に接触し、背中ｃは浴槽５０と接触していない状態となり、この状態を維持して入浴を続ける。
【００２９】
したがって、背中ｃはお湯６０と常に接触し、お湯６０により常に暖められる状態となっており、また、お湯６０をかき回すことにより、背中ｃで冷やされたお湯６０を暖かいお湯６０に交換できるので、長時間に亘って冷えることなく温まることができる。また、頭部ａは頭部クッション３０に載せているので、首に力を入れることなく頭部ａを固定することが出来るとともに、柔軟であるので、同じ状態を快適に維持できる。
【００３０】
本発明の入浴用クッションの他の使用例について、図７及び図８を参照して説明する。図７及び図８はそれぞれ入浴用クッションの使用状態を示す模式図である。図７に示す使用例は、背部クッション２０を上に、頭部クッション３０を下にした状態で固定したものである。この使用例においては、身体を起こした状態で入浴する場合に好適である。図８に示す使用例は、背部クッション２０を頭部クッション３０側へ折り返し、重ねあった状態で使用するものである。この使用例においては、浴槽からの突出部分が高くなるので、首ｄ近傍に当てることにより、肩も浴槽に可能な限り接触しないように出来る。
【図面の簡単な説明】
【００３１】
【図１】本発明による入浴用クッションの空気を抜いた状態の平面図
【図２】本発明による入浴用クッションの空気を抜いた状態の底面図
【図３】本発明による入浴用クッションの空気を注入した状態の斜め上方から見た斜視図
【図４】本発明による入浴用クッションの空気を注入した状態の斜め下方から見た斜視図
【図５】本発明による入浴用クッションの使用状態を示す模式図
【図６】本発明による入浴用クッションの使用状態を示す模式図
【図７】本発明による入浴用クッションの他の使用状態を示す模式図
【図８】本発明による入浴用クッションの他の使用状態を示す模式図
【符号の説明】
【００３２】
１    入浴用クッション
１０  連結帯部
１１  吸盤
２０  背部クッション
２２  空気注入口
２３  空気栓
３０  頭部クッション
３２  空気注入口
３３  空気栓
４０  開口部
５０  浴槽
６０  お湯
【図１】
2009039215.tif 000003
【図２】
2009039215.tif 000004
【図３】
2009039215.tif 000005
【図４】
2009039215.tif 000006
【図５】
2009039215.tif 000007
【図６】
2009039215.tif 000008
【図７】
2009039215.tif 000009
【図８】
2009039215.tif 000010